(57)【要約】【課題】従来の正座用椅子では、座面が水平であるか、または傾斜がある場合であっても、前後方向の傾斜角が固定されたままか不安定に前後方向に変化するものであり、自然に安定した姿勢を保持したり、緊張を緩和したりすることが行うことができなかった。【解決手段】本発明の正座用椅子は、座部と、前記座部の裏面の中央に前後方向に設けられた一つの板状の脚部を備えた正座用椅子において、脚部は、座部の面を床面と平行に置いたとき、脚部の底面が、床面となす角度が、第１角度となる第１底面と、第１底面に続く第１角度より大きい第２角度となる第２底面を備え、第１底面の長さと第２底面の長さが同一であることを特徴とする。【選択図】  図１
2018020100.tif 000002
【特許請求の範囲】
【請求項１】
座部と、前記座部の裏面の中央に前後方向に設けられた一つの板状の脚部を備えた正座用椅子において、
前記脚部は、前記座部の面を床面と平行に置いたとき、前記脚部の底面が、床面となす角度が、第１角度となる第１底面と、前記第１底面に続く第１角度より大きい第２角度となる第２底面を備え、前記第１底面の長さと前記第２底面の長さが同一であることを特徴とする正座用椅子。
【請求項２】
前記脚部の前記第１底面及び前記第２底面の左右方向の縁部にそれぞれテーパー面を設けたことを特徴とする請求項１に記載の正座用椅子。
【請求項３】
前記第１角度は４〜６°で、前記第２角度は、１９〜２１°であることを特徴とする請求項１又は２に記載の正座用椅子。
【請求項４】
前記座部は、その座面にストッパーを備えることを特徴とする請求項１乃至３のいずれかに記載の正座用椅子。
【発明の詳細な説明】
【技術分野】
【０００１】
本発明は、無理のない姿勢を長時間保持することができる正座用椅子に関する。
【背景技術】
【０００２】
正座用椅子の座面は水平なものが多いが、脚部下端については、水平なもの、あるいは支える面が水平でありながら一部角を切り取ったものなどがある（特許文献１から３参照）。特許文献１では、座面の傾斜が段階的に変えることができるよう脚部の傾斜面を備え、前後方向に揺動可能となっている。特許文献２，３では、座板の下面に取り付けられた脚部が折りたたみ可能な構成としており、同様に、前後方向に揺動可能となっている。
【先行技術文献】
【特許文献】
【０００３】
【特許文献１】実用新案登録第３１０５８８０号公報
【特許文献２】実開平５−８４２４８号公報
【特許文献３】特許第４９４７３９１号公報
【発明の概要】
【発明が解決しようとする課題】
【０００４】
座ることは心身の健康にとって欠くことができないが、長時間座り続ける上での健康上の問題が指摘されることもある。運動の不足や座り方によっては下半身の筋肉や関節だけでなく、血流障害等に伴うさまざまな健康上の問題が生じるといわれる。運動器だけでなく上体の緊張が緩和されることが必要であり、特に身体の前後屈等による胸部、腹部、頚部や臓器等の圧迫を防がなければならない。
【０００５】
よい姿勢で座る場合、脊柱の湾曲や骨盤の前傾、股関節の自由度、下肢アライメントの維持などが欠かせない。さらに、座位が長時間に及ぶと、自然に体を前後左右に傾け、揺らしながら、足、膝のしびれや痛みを解消しようとすることからも、同じ姿勢を維持することは生理的に困難であることがわかる。
【０００６】
上述の従来の正座用椅子では、座面が水平であるか、または傾斜がある場合であっても、前後方向の傾斜角が固定されたままか不安定に前後方向に変化するものであり、自然に安定した姿勢を保持したり、緊張を緩和したりすることが行うことができなかった。
【課題を解決するための手段】
【０００７】
本発明の正座用椅子は、座部と、前記座部の裏面の中央に前後方向に設けられた一つの板状の脚部を備えた正座用椅子において、脚部は、座部の面を床面と平行に置いたとき、脚部の底面が、床面となす角度が、第１角度となる第１底面と、第１底面に続く第１角度より大きい第２角度となる第２底面を備え、第１底面の長さと第２底面の長さが同一であることを特徴とする。
【発明の効果】
【０００８】
本発明の正座用椅子によれば、前後左右方向に身体を揺動可能とすると共に身体を前後屈して、容易に第１底面と第２底面を使い分けて座部の傾斜を変え、それぞれの角度で、姿勢の維持を容易にすることができる。これにより、大腿部、足部へかかる体重も一時的に分散され、長時間の座位による痛み、しびれなどを防止することができる。
【０００９】
また、上下肢、上体と上体を支える骨盤だけでなく、長時間座る場合の股関節についても注目する。この構造では、座りながらも、ストッパーと恥骨の接触面を支点にした股関節と股関節周辺の緩やかな運動をすることが可能である。球関節である股関節にとって運動のできる自由度が確保できることはその拘縮を予防するうえできわめて都合がよい。
【図面の簡単な説明】
【００１０】
【図１】本発明の第１実施形態における正座用椅子を右前方から見た斜視図である。
【図２】図１の正座用椅子の正面図である。
【図３】図１の正座用椅子の左側面図である。
【図４】本発明の第２実施形態における正座用椅子の左側面図である。
【図５】図４の正座用椅子の背面図である。
【図６】図４の正座用椅子の正面図である。
【図７】腰椎と仙骨が作る形状と脚部の形状とを比較して表わした図である。
【発明を実施するための形態】
【００１１】
以下、本発明の実施の形態を図１〜図７に基づいて説明する。
【００１２】
図１〜図３は、本発明の第１実施形態を示す図である。
【００１３】
図１において、座板１（座部）の座面は、臀部を支える程度の寸法を有しており、座板１（座部）の裏面には、その幅方向（左右方向）の中央に、奥行き方向（前後方向）に沿って、座板１の奥行寸法と同程度の奥行寸法を有する一つの板状の脚部２が設けられている。
【００１４】
座板１（座部）と脚部２は「ほぞ」や蝶番などによって、あるいはトラス構造により接続され、座板１（座部）は一つの脚部２により下から支持される。尚、座板１の形状、寸法は、臀部を支えることができるものであれば、四角形状に限らず、円形、楕円形などの他の形状とすることができる。
【００１５】
図２に示すように、脚部２は前方に向けて短くなり、脚部２の下部底面は、第１底面３と第２底面４から成る。
【００１６】
図３に示すように、座板１の座面を床面と平行に置いたとき、脚部２の底面が、床面となす角度が、角度θ１（４〜６°）の第１底面３と、それに続く角度θ２（１９〜２１°）の第２底面４とで構成される。この角度は、座る際に、脊柱の湾曲や骨盤の前傾姿勢を緩やかに、あるいは堅固に支えたりするための座面を確保するための角度である。第１底面と第２底面の前後の長さはほぼ同程度（Ｌ１≒Ｌ２）である。
【００１７】
座板１の座面の前部には、ストッパー６として、クッションで覆われた半球状の突起を備える。突起の形状は、例えば球を４分割したものの１つの形状（＝ウニの卵割における４細胞期の１割球のような形）でもよい。
【００１８】
なお、座面の傾斜により、体幹を前方にスライドさせようとする力がはたらくので、体幹がスライドするのを恥骨で支えるためのストッパーを備え付ける。正座椅子の場合では床面に密着した下肢が体幹のスライドを回避するよう滑り止めの役割をするので低めのストッパーとなる。
【００１９】
脊椎（背骨）は、頭部や内臓を抱える上半身の重みを吸収し、それらの生理作用を正常に機能させるため、横から見てＳ字状のカーブの形状（生理的湾曲）となっている。本発明の正座用椅子においては、第１底面、第２底面はいずれも、それぞれの傾斜角に応じて、脊椎の正常な生理的湾曲のために必要な腰仙角（１５°〜３０°）を確保しやすくするように形作られている。
【００２０】
一般に、現代人の腰仙角は正常値より小さめで、その傾向は加齢等によりさらに加速されるが（腰が丸くなる状態）、そのような場合であっても、第１底面を床面に密着させて正座をすると、床面に対する座面のわずかな傾斜によってできた、腰椎と仙骨から成る立体構造の支えにより、身体に沿った自然な生理的湾曲を確保しやすくなる。
これによって「よい姿勢」に近づきはしましたがまだ十分とはいえない。股関節は球関節といって、本来、多方向への可動域が最も広い関節ですが、衰えた回転機能が体幹や下肢の前後左右への動きを阻害する。
【００２１】
上体をさらに前方に揺動しながら骨盤を起こすと、大腿骨頭は前後に回転し、第２底面４の支えによりしっかりとロッキングされ、安定した姿勢を保持しながら、理想的な生理的湾曲とより深い呼吸へと導くことができる。
【００２２】
一つの板状の脚部２により左右方向の上体の微かな揺動、及び２つの傾斜の異なる底面により前後方向の上体の微かな揺動をもって、かように特徴ある脚部形状を選択することができ、それによって、安定した姿勢を保持したり、緊張を緩和することができる。生理的湾曲の確保により、持続的に姿勢や歩行動作、内臓への血流の改善など期待できることはいうまでもないが、長時間の正座であっても、両底面を使い分けることによる適度な緊張と弛緩により快適にその効用が得られるという特徴がある。
【００２３】
図４〜図６は、本発明における第２実施形態を示す。
第１実施形態と同じ部分は、同一の符号を付している。
【００２４】
第１実施形態との違いは、脚部２の第１底面３、第２底面４の左右方向の縁部が面取りされ、第３底面５を設けた点である。
【００２５】
これにより、左右方向の揺動が第１実施形態に比して、自然に容易に行うことができる。第３底面５は、底面の縁部を面取りしたテーパー面としているが、平面状のテーパー面ではなくＲ面取りであっても良い。
【００２６】
第３底面５のそれぞれが第１底面または第２底面のいずれかとθ３の傾斜角を持つ。一般に、座ったまま上体が側屈する場合、左右の腸骨稜の高低差は１〜２ｃｍであり、この場合ヤコビー線（腸骨稜の水平面）の傾きは水平面に対して６°であるので、θ３≒６°である。正座をする際、両足は、座板の下、脚部両側に、甲を下にして納まる。脚部の幅は４ｃｍ前後とし、その場合第１底面と第２底面の幅はいずれも３.５ｃｍ前後であり、残り（４−３.５＝０.５ｃｍ）が両側の第３底面をなすための幅である。したがって、第３底面の幅は、通常の面取りよりやや大きめの加工面である。
【００２７】
脊椎（背骨）は、頭部や内臓を抱える上半身の重みを吸収し、それらの生理作用を正常に機能させるため、横から見てＳ字状のカーブの形状（生理的湾曲）をしています。本発明の正座用椅子においては、第１底面、第２底面はいずれも、それぞれの傾斜角に応じて、脊椎の正常な生理的湾曲のために必要な腰仙角（腰椎と仙骨とのなす角度）を確保しやすくするように形作られている。
【００２８】
一般に、現代人の腰仙角は正常値より小さめで、その傾向は加齢等によりさらに加速されますが（腰が丸くなる状態）、そのような場合であっても、第１底面を床面に密着させて正座をすると、床面に対する座面のわずかな傾斜によってできた、腰椎と仙骨から成る立体構造の支えにより、身体に沿った自然な生理的湾曲を確保しやすくなる。
【００２９】
これによって「よい姿勢」に近づくがまだ十分とはいえない。股関節は球関節といって、本来、多方向への可動域が最も広い関節であるが、衰えた回転機能が体幹や下肢の前後左右への動きを阻害する。
【００３０】
上体をさらに前方に揺動しながら骨盤を起こすと、大腿骨頭は前後方向に８〜１２°回転し、第２底面４の支えによりしっかりとロッキングされ、安定した姿勢を保持しながら、理想的な生理的湾曲とより深い呼吸へと導くことができる。
【００３１】
一つの板状の脚部２により左右方向の上体の微かな揺動、及び２つの傾斜の異なる底面により前後方向の上体の微かな揺動をもって、かように特徴ある脚部形状を選択することができ、それによって、安定した姿勢を保持したり、緊張を緩和することができる。生理的湾曲の確保により、持続的に姿勢や歩行動作、内臓への血流の改善など期待できることはいうまでもないが、長時間の正座であっても、第１及び第２底面と、第３底面とを使い分けることによる適度な緊張と弛緩により快適にその効用が得られ、かつ繰り返し使用することよって健康的な姿勢やその姿勢の感覚を維持することができる。
【符号の説明】
【００３２】
１    座板
２    脚部
３    第１底面
４    第２底面
５    第３底面
θ１  第１角度
θ２  第２角度
θ３  第３角度
Ｌ１  第１底面の前後の長さ
Ｌ２  第２底面の前後の長さ
６    ストッパー
【図１】
2018020100.tif 000003
【図２】
2018020100.tif 000004
【図３】
2018020100.tif 000005
【図４】
2018020100.tif 000006
【図５】
2018020100.tif 000007
【図６】
2018020100.tif 000008
【図７】
2018020100.tif 000009